(57)【要約】【課題】少ない数の光センサでも用紙のジャムを検知可能な紙詰まり検知装置を提供する。【解決手段】回動ピン７１（７１ａ、７１ｂ）は、定着装置６の用紙搬送出口６６の近傍で且つ用紙６９の搬送方向ｃの幅方向の両縁近傍にそれぞれ配置され、用紙搬送出口６６から搬出される用紙６９の先端に当接したとき用紙６９の先端に押されて用紙６９の搬送方向に回動する（矢印ｄ）。遮蔽体７３（７３ａ、７３ｂ）は、用紙６９の搬送幅方向の中央部近傍にそれぞれ配置され、回動ピン７１の回動に連動して同一方向へ回動する。棒状部材６８（６８ａ、６８ｂ）は本体装置のフレームの軸受けに両端部を支持され、一方の端部近傍に回動ピン７１を固定して保持し、他方の端部近傍に遮蔽体７３を固定して保持する。１個の光センサ７４は遮蔽体７３のそれぞれの回動方向に応じて遮蔽体７３により検知光路７５を遮断または開放される。【選択図】図５
2016160080.tif 000002
【特許請求の範囲】
【請求項１】
搬送されてくる用紙の先端に押されることにより用紙の搬送方向に回動する第１及び第２の回動ピンと、
前記第１の回動ピンの回動に連動して回動する第１の遮蔽体と、
前記第２の回動ピンの回動に連動して回動する第２の遮蔽体と、
前記第１の遮蔽体の回動と前記第２の遮蔽体の回動とに基づいて検知光路が遮断または開放される光センサと、
を有することを特徴とする紙詰まり検知装置。
【請求項２】
用紙の搬送幅方向の一方の端部に対応する位置に配置され、搬送されてくる用紙の先端に押されることにより用紙の搬送方向に回動する第１の回動ピンと、
用紙の搬送幅方向の他方の端部に対応する位置に配置され、搬送されてくる用紙の先端に押されることにより用紙の搬送方向に回動する第２の回動ピンと、
前記第１の回動ピンの回動に連動して回動する第１の遮蔽体と、
前記第２の回動ピンの回動に連動して回動する第２の遮蔽体と、
前記第１の遮蔽体の回動と前記第２の遮蔽体の回動とに基づいて検知光路が遮断または開放される光センサと、
を有することを特徴とする紙詰まり検知装置。
【請求項３】
前記光センサは、前記検知光路が用紙の搬送幅方向と平行となるように用紙の搬送幅方向の中央部に対応した位置に配置されていることを特徴とする請求項１または２に記載の紙詰まり検知装置。
【請求項４】
前記検知光路と平行となるように配置された第１及び第２の棒状部材を備え、
前記第１の棒状部材の一方の端部に前記第１の回動ピンが取り付けられているとともに他方の端部に前記第１の遮蔽体が取り付けられ、
前記第２の棒状部材の一方の端部に前記第２の回動ピンが取り付けられているとともに他方の端部に前記第２の遮蔽体が取り付けられていることを特徴とする請求項１乃至３のいずれか一項に記載の紙詰まり検知装置。
【請求項５】
用紙の搬送幅方向の一方の端部に対応する位置に配置され、搬送されてくる用紙の先端に押されることにより用紙の搬送方向に回動する第１の回動ピンと、
用紙の搬送幅方向の他方の端部に対応する位置に配置され、搬送されてくる用紙の先端に押されることにより用紙の搬送方向に回動する第２の回動ピンと、
前記第１の回動ピンの回動に連動して回動する第１の遮蔽体と、
前記第２の回動ピンの回動に連動して回動する第２の遮蔽体と、
前記第１の遮蔽体の回動と前記第２の遮蔽体の回動とに基づいて検知光路が遮断または開放される光センサと、
を有することを特徴とする画像形成装置。
【発明の詳細な説明】
【技術分野】
【０００１】
本発明は、紙詰まり検知装置及び画像形成装置に関する。
【背景技術】
【０００２】
従来、電子写真方式の画像形成装置が知られている。この画像形成装置は、一般に感光体ドラムを一様に帯電させて初期化し、この感光体ドラムに光書込みによって静電潜像を形成し、この静電潜像をトナー像化し、そのトナー像を直接または間接に用紙等の転写材に転写し、定着装置に通紙される。
【０００３】
定着装置に通紙された用紙は、加熱ローラと加圧ローラからなるローラ対に挟持搬送され、トナ一像を定着されて定着装置の出口から下流側へ搬出される。この搬出の際、用紙がローラ対のいずれかのローラに巻き込まれないように、通常、ローラ対には複数の分離爪が設けられている。
【０００４】
通常では、用紙は分離爪によって分離され、定着装置から下流側に送り出されるが、ときにより分離がうまく行かずに用紙先端が分離爪に引っ掛かり、用紙後方に対するローラ対による挟持搬送が続いて、用紙先端が蛇腹状に押しつぶされる用紙ジャムが発生する。
【０００５】
なお、用紙先端が分離爪に引っ掛かったときばかりでなく、搬送不良により用紙が定着装置に通紙されない又は通紙されてもローラ対が用紙を下流側へ搬出しない場合も、一般に用紙ジャムと称している。
【０００６】
従来、このような用紙ジャムを検出するには、定着装置の出口から下流側に光センサを配設し、トナー像の転写位置から定着装置の出口までの予め設定されている搬送所要時間以内に用紙先端が光センサの検知光路を遮ったか否かによって用紙ジャム発生の有無を検出している。（例えば、特許文献１参照。）
【０００７】
そして、この特許文献１に記載の技術においては、用紙にはサイズの大小があるため、最小サイズの記録材（用紙）の幅（ローラ対の軸方の長さ）内に複数の検知センサ（光センサ）を設けている。
【０００８】
しかし、例えば用紙の片側端辺を用紙サイズ共通の基準位置に合わせてから用紙を搬送する方式の装置では、最小サイズの用紙に対しても用紙を検知可能なようにこの片側端辺の近傍に対応する位置に光センサを配置している。
【０００９】
そして、この位置に配置された光センサで最大サイズの用紙に対しても用紙を検知しようとした場合、用紙の検知位置は基準位置に合わされる側の端辺とは反対側の端辺から大きく離れてしまう。
【００１０】
この場合、特に最大サイズの用紙においては、検知位置から大きく離れた方の端辺が用紙先端部で分離爪に引っ掛かって用紙ジャムとなっても光センサが配置された方の端辺が分離爪に引っ掛かることなく搬送されると光センサによって用紙が検知できてしまうため用紙ジャムとしては検知できず結果として用紙が正常に搬送されていると判断されてしまう。
【００１１】
そうなると、ジャムで蛇腹状に紙詰まりとなっているところへ、後続の用紙が定着装置に搬送されてきて、その後続用紙も蛇腹状に紙詰まりとなる。
【００１２】
この場合、紙詰まりを除去するために用紙を搬送方向とは逆方法にローラ対から引き抜くことになるが、２枚の用紙が蛇腹状の紙詰まりとなっているため、用紙を引き抜く際に、ローラ対の抵抗が大きくなって紙詰まり除去は困難な作業となる。
【００１３】
そればかりでなく、用紙を引き抜く際に、蛇腹状の紙詰まり部分が分離爪をローラ対のそれぞれのローラに強く押し付けることになる場合もあるため、分離爪先端とローラ表面の両方が破損するという危険もある。
【００１４】
この不具合を避けるため、特許文献１に記載の技術では、最大サイズの用紙向けに光センサを別に配置している。
【先行技術文献】
【特許文献】
【００１５】
【特許文献１】特開平０４-００３７６０号公報
【発明の概要】
【発明が解決しようとする課題】
【００１６】
しかしながら、光センサは高価なものであるから、多くの数の光センサを用紙ジャム検出のために用いることは、画像形成装置全体のコストを引き上げる要因となって好ましくない。
【００１７】
そこで本発明は、上記従来の課題を解決するものであって、少ない数の光センサでも用紙のジャムを検知可能な紙詰まり検知装置及び画像形成装置を提供することを目的とする。
【課題を解決するための手段】
【００１８】
上記課題を解決するために、本発明の紙詰まり検知装置は、搬送されてくる用紙の先端に押されることにより用紙の搬送方向に回動する第１及び第２の回動ピンと、前記第１の回動ピンの回動に連動して回動する第１の遮蔽体と、前記第２の回動ピンの回動に連動して回動する第２の遮蔽体と、前記第１の遮蔽体の回動と前記第２の遮蔽体の回動とに基づいて検知光路が遮断または開放される光センサと、を有することを特徴とする。
【００１９】
また、本発明の紙詰まり検知装置は、用紙の搬送幅方向の一方の端部に対応する位置に配置され、搬送されてくる用紙の先端に押されることにより用紙の搬送方向に回動する第１の回動ピンと、用紙の搬送幅方向の他方の端部に対応する位置に配置され、搬送されてくる用紙の先端に押されることにより用紙の搬送方向に回動する第２の回動ピンと、前記第１の回動ピンの回動に連動して回動する第１の遮蔽体と、前記第２の回動ピンの回動に連動して回動する第２の遮蔽体と、前記第１の遮蔽体の回動と前記第２の遮蔽体の回動とに基づいて検知光路が遮断または開放される光センサと、を有することを特徴とする。
【００２０】
また、本発明の画像形成装置は、用紙の搬送幅方向の一方の端部に対応する位置に配置され、搬送されてくる用紙の先端に押されることにより用紙の搬送方向に回動する第１の回動ピンと、用紙の搬送幅方向の他方の端部に対応する位置に配置され、搬送されてくる用紙の先端に押されることにより用紙の搬送方向に回動する第２の回動ピンと、前記第１の回動ピンの回動に連動して回動する第１の遮蔽体と、前記第２の回動ピンの回動に連動して回動する第２の遮蔽体と、前記第１の遮蔽体の回動と前記第２の遮蔽体の回動とに基づいて検知光路が遮断または開放される光センサと、を有することを特徴とする。
【発明の効果】
【００２１】
本発明によれば、少ない数の光センサでも用紙のジャムを検知可能な紙詰まり検知装置及び画像形成装置を提供することができる。
【図面の簡単な説明】
【００２２】
【図１】本発明の実施例１に係るフルカラーの画像形成装置（プリンタ、装置本体）の内部構成を説明する断面図である。
【図２】(a)はプリンタの外観斜視図、(b)は両面印刷用搬送ユニットと一体な開閉部材を開く図である。
【図３】(a)はジャム検知機構の全体構成を定着装置の内部構成と共に示す斜視図、(b)はジャム検知機構のみを取り出して示す(a)のＡ矢視図、(c)は(a)のＢ−Ｂ´矢視断面図、(d)は(a)のＤ−Ｄ´矢視断面図である。
【図４】(a)〜(d)は図３(a)〜(d)の構成において定着装置から搬出される用紙が正常な状態である場合のジャム検知機構の動作を説明する図である。
【図５】(a)〜(d)は図３(a)〜(d)の構成において定着装置から搬出される用紙の後方部分がジャム状態である場合のジャム検知機構の動作を説明する図である。
【図６】(a)〜(d)は図３(a)〜(d)の構成において定着装置から搬出される用紙の前方部分がジャム状態である場合のジャム検知機構の動作を説明する図である。
【発明を実施するための形態】
【００２３】
以下、本発明の実施の形態について、図面を参照しながら詳細に説明する。なお、以下の説明では、印字と印刷は同義に用いられる。
［実施例１］
【００２４】
図１は、実施例１に係るフルカラーの画像形成装置（以下、プリンタ、又は装置本体ともいう）の内部構成を説明する断面図である。
【００２５】
図１に示すプリンタ１は、電子写真式で二次転写方式のタンデム型のカラー画像形成装置であり、画像形成部２、転写ベルトユニット３、トナー供給部４、給紙部５、定着装置６、及び両面印刷用搬送ユニット７で構成されている。
【００２６】
上記画像形成部２は、いわゆる背面転写方式で転写ベルト８の下部走行部表面８ａにトナー画像を転写するために、その転写ベルト８の下部走行部表面８ａに接して同図の右から左へ４個の画像形成ユニット９（９ｋ、９ｃ、９ｍ、９ｙ）を多段式に並設した構成をとっている。
【００２７】
上記４個の画像形成ユニット９のうち上流側（図の左側）の３個の画像形成ユニット９ｙ、９ｍ及び９ｃは、それぞれ減法混色の三原色であるイエロー（Ｙ）、マゼンタ（Ｍ）、シアン（Ｃ）の色トナーによるモノカラー画像を形成する。
【００２８】
また、画像形成ユニット９ｋは、主として文字や画像の暗黒部分等に用いられるブラック（Ｋ）トナーによるモノクロ画像を形成する。上記の各画像形成ユニット９は、画像を現像するトナーの色を除き大凡同じ構成である。したがって、以下イエロー（Ｙ）のトナー用の画像形成ユニット９ｙを例にしてその構成を説明する。
【００２９】
画像形成ユニット９は、最上部に感光体ドラム１０を備えている。この感光体ドラム１０は、その周面が例えば有機光導電性材料で構成されている。この感光体ドラム１０の周面に当接し又は近傍を取り巻いて、クリーナ１１、帯電ローラ１２、光書込ヘッド１３、及び現像器１４の現像ローラ１５が配置されている。
【００３０】
現像器１４は、外部を覆うユニット筐体１６、内部に設けられた隔壁１７、現像ローラ１５、第１の攪拌搬送スクリュー１８、及び第２の攪拌搬送スクリュー１９を備えている。第１及び第２の攪拌搬送スクリュー１８及び１９は、特には図示しないが、スクリュー軸と、このスクリュー軸と一体に構成されて回転するフィンから成る。
【００３１】
この現像器１４には、トナー供給部４のトナー補給容器２０（２０ｙ、２０ｍ、２０ｃ、２０ｋ）から、同図にはＹ、Ｍ、Ｃ、Ｋで示すようにイエロー（Ｙ）、マゼンタ（Ｍ）、シアン（Ｃ）、ブラック（Ｋ）のいずれかのトナーが供給される。
【００３２】
転写ベルトユニット３は、装置本体のほぼ中央で図の左右方向に扁平なループ状になって延在する無端状の上述した転写ベルト８と、この転写ベルト８を掛け渡されて転写ベルト８を図の矢印ａで示す反時計回り方向に循環移動させる駆動ローラ２１と従動ローラ２２を備えている。
【００３３】
上記の転写ベルト８には、一次転写ローラ２３がユニットと一体に組み込まれている。一次転写ローラ２３は転写ベルト８を介して感光体ドラム１０に圧接し、下方を循環移動する転写ベルト８の下部走行部表面８ａにトナー像を直接転写（一次転写）する。
【００３４】
転写ベルト８は、そのトナー像を更に用紙に転写（二次転写）すべく用紙への二次転写部２４まで搬送する。二次転写部２４は、駆動ローラ２１に隣接して下流側（図では上方）に配置された転写補助ローラ２５と、この転写補助ローラ２５に転写ベルト８を介して圧接する二次転写ローラ２６とで形成されている。
【００３５】
転写ベルト８には、ベルトクリーナ２７が配置されている。ベルトクリーナ２７は、転写ベルト８の従動ローラ２２に掛け渡されている表面に当接するクリーニングブレード２８を備えている。また、ベルトクリーナ２７の左方から下方にかけて隣接して、廃トナー回収容器２９が着脱自在に配置されている。
【００３６】
ベルトクリーナ２７は、クリーニングブレード２８により転写ベルト８の表面に残留する廃トナーを擦り取って除去し、その廃トナーを不図示の搬送スクリューにより廃トナー回収容器２９に送り込んでいる。
【００３７】
トナー供給部４は、転写ベルト８の上部走行部の上方に配置される４個のトナー補給容器２０（２０ｙ、２０ｍ、２０ｃ、２０ｋ）を着脱自在に備えている。４個のトナー補給容器２０には前述したようにイエロー（Ｙ）、マゼンタ（Ｍ）、シアン（Ｃ）、ブラック（Ｋ）のトナーが収容されている。
【００３８】
これら４個のトナー補給容器２０は、図１では転写ベルトユニット３の向う側に隠れて見えないが、それぞれ装着部のトナー供給口に続くトナー供給路を介して、それぞれに対応する画像形成ユニット９の現像器１４と連結されている。
【００３９】
このトナー供給部４は、特には図示しないが、図１に示す印刷実行時位置から、それより上方の保守位置に、昇降可能に装着部を介してプリンタ１本体のフレームに保持されている。
【００４０】
給紙部５は、上下２段に配置された２個の給紙カセット３０（３０ａ、３０ｂ）を備えている。２個の給紙カセット３０の給紙口（図の右方）近傍には、それぞれ用紙取出ローラ３１、給送ローラ３２、捌きローラ３３、待機搬送ローラ対３４が配置されている。
【００４１】
待機搬送ローラ対３４の用紙搬送方向（図の鉛直上方向）には、転写ベルト８、転写補助ローラ２５、二次転写ローラ２６による前述した用紙への二次転写部２４が形成されている。
【００４２】
この二次転写部２４の下流（図では上方）側には定着装置６が配置されている。定着装置６は、断熱性の定着装置筐体３５の内部に、熱源３６を内蔵する発熱ローラ３７、定着ローラ３８、発熱ローラ３７と定着ローラ３８との間に掛け渡された熱伝導ベルト３９を備えている。
【００４３】
更に、定着装置６は定着装置筐体３５の内部に、熱伝導ベルト３９を介して定着ローラ３８に圧接する加圧ローラ４０、定着後の用紙を熱伝導ベルト３９から分離する分離爪４１、分離された用紙を搬送出口の方向に誘導する出口案内爪４２を備えている。
【００４４】
この定着装置６の更に下流側（図の上方）には、搬送出口に近接して、定着後の用紙が定着装置６からジャムすることなく排出されたか否かを検知する紙詰まり検知装置としてジャム検知機構４３が配置されている。
【００４５】
なお、図１には、ジャム検知機構４３の外郭である検知機構筐体４４のみを示している。また、このジャム検知機構４３は、分離爪４１と出口案内爪４２の下流側でさえあれば、定着装置筐体３５の内部に備えるようにしてもよい。
【００４６】
ジャム検知機構４３の下流には、定着装置６から排出された用紙の搬出を引き継ぐ搬出ローラ対４５、及びその搬出される用紙を装置本体１の上面に形成されている排紙トレー４６に排紙する排紙ローラ対４７が配設されている。
【００４７】
両面印刷用搬送ユニット７は、外面（図の右方外側面）がプリンタ１の内部を側面から外部に開放又は遮蔽する開閉部材を兼ねている。
【００４８】
この両面印刷用搬送ユニット７は、排紙ローラ対４７の直前から図の右横方向に分岐する返送開始路４８ａ、それから下方に曲がる返送中間路４８ｂ、更に上記とは反対の左横方向に曲がって最終的に返送用紙を反転させる返送終端路４８ｃから成る返送路４８を備えている。
【００４９】
また、返送路４８の途中には、５組の返送ローラ対４９（４９ａ、４９ｂ、４９ｃ、４９ｄ、４９ｅ）が配置されている。上記返送終端路４８ｃの出口は、給紙部５の下方の給紙カセット３０ｂに対応する待機搬送ローラ対３４への搬送路に合流している。
【００５０】
図２(a)は、上記のプリンタ１の外観斜視図であり、図２(b)は両面印刷用搬送ユニット７と一体な開閉部材を開く図である。尚、図２(a),(b)には図１と同一の構成部分には図１と同一の番号を付与して示している。 
【００５１】
図２(a)に示すように、プリンタ１には、前方に前扉５１が備えられ、右側面には開閉カバーとしての開閉部材５２が備えられている。開閉部材６２には上部に取っ手６３が付いている。
【００５２】
図２(b)に示すように、開閉部材６２の取っ手６３に人の手６４を掛けて開閉部材５２を矢印ｂで示すように下方に開放して装置本体１の側面開口６５から定着装置６でジャムしている用紙を取り除くことができる。
【００５３】
このプリンタ１は、図１に示したように、待機搬送ローラ対３４により二次転写部２４まで鉛直方向に搬送される用紙に転写ベルト８を介してトナー像を二次転写する方式となっている。
【００５４】
ここで、このような二次転写方式では、図１の左側、即ち、キット類が集中して配置される配設部には用紙の搬送路が存在せず、したがって、この配設部では用紙ジャム等の不具合が発生しにくい。このため、キット類などの消耗品の着脱の操作は、図２に示す前扉５１を開いて、キット類を長手方向（前扉方向）に入れ替え操作するように構成されている。
【００５５】
つまり、用紙の搬送路に発生する用紙ジャム等の不具合は、装置本体１の右側で発生しやすいので、用紙ジャム等を回復するメンテナンス処理は、図２(b)に示す右側の開閉部材５２を開放することで対処できるようになっている。
【００５６】
しかし、メンテナンス処理ができるとはいっても、用紙ジャムの検出が遅れると、定着装置６の搬送出口の近接で２枚の用紙が蛇腹状の紙詰まりとなる可能性が高く、紙詰まりを除去する作業が困難となることは前述した通りである。
【００５７】
そこで、本実施例では、図１に示したジャム検知機構４３の後述する光センサで、定着装置６に通紙された用紙の幅方向における両側のどちら側で発生した用紙ジャムでも迅速に検知できるようにしている。以下、これについて説明する。
【００５８】
図３(a)はジャム検知機構４３の全体構成を定着装置６の内部構成と共に示す斜視図であり、図３(b)はジャム検知機構４３のみを取り出して示す図３(a)のＡ矢視図、図３(c)は図３(a)のＢ−Ｂ´矢視断面図、図３(d)は図３(a)のＤ−Ｄ´矢視断面図である。
【００５９】
なお、図３(a),(c),(d)には、図１に示した構成と同一の構成部分には図１と同一の番号を付与して示している。また図３(a),(b)には、それぞれの内部構成が分かり良いように、検知機構筐体４４と定着装置筐体３５を取り除いて示している。
【００６０】
図３(a)〜(d)に示すように、ジャム検知機構４３は、図３(a)〜(d)では図示を省略した検知機構筐体４４のフレームに設けられている図３(b)に示す軸受６７（６７ａ、６７ｂ、６７ｃ）に両端部を支持された２本の棒状部材６８（６８ａ、６８ｂ）を備えている。
【００６１】
２本の棒状部材６８は、図３(a)に示すように、熱伝導ベルト３９と加圧ローラ４０とにより定着装置６内を矢印ｃ方向に搬送される用紙６９の搬送幅方向の中央部から装置本体１の前側に位置する前方棒状部材６８ａと、中央部から装置本体１の後側に位置する後方棒状部材６８ｂで構成される。
【００６２】
前方棒状部材６８ａは、用紙６９の搬送幅方向の縁部外側に位置する軸受６７ａに保持される端部近傍に回動ピン７１ａを保持部７２ａにより固定して保持している。更に、前方棒状部材６８ａは、用紙６９の搬送幅方向の中央部に位置する軸受６７ｂに保持される端部近傍に遮蔽体７３ａを固定して保持している。
【００６３】
後方棒状部材６８ｂは、用紙６９の搬送幅方向の縁部外側に位置する軸受６７ｃに保持される端部近傍に回動ピン７１ｂを保持部７２ｂにより固定して保持している。更に、後方棒状部材６８ｂは、用紙６９の搬送幅方向の中央部に位置する軸受６７ｂに保持される端部近傍に遮蔽体７３ｂを固定して保持している。
【００６４】
用紙６９の先端がジャム検知機構４３に到達する以前の状態では、定着装置６の用紙搬送出口６６の近傍に配置されているジャム検知機構４３の回動ピン７１ａ及び７１ｂは、それぞれ図３(c),(d)に示すように、定着装置６の用紙搬送出口６６から搬出される用紙６９の進路を遮る位置に探針として延びだしている。
【００６５】
また、図示を省略した検知機構筐体４４の内部天井には、用紙６９の搬送幅方向の中央部に対応する位置に、図３(a),(b)に示す透過型光センサ７４が配設されている。用紙６９の先端がジャム検知機構４３に到達する以前の状態では、遮蔽体７３ａ及び７３ｂは透過型光センサ７４の検知光路７５を遮っている。
【００６６】
例えば、遮蔽体７３ａは回動ピン７１ａに対して９０度だけ異なる方向に前方棒状部材６８ａから延びだすように前方棒状部材６８ａに取り付けられており、遮蔽体７３ｂは回動ピン７１ｂに対して９０度だけ異なる方向に後方棒状部材６８ｂから延びだすように後方棒状部材６８ｂに取り付けられている。
【００６７】
そして、透過型光センサ７４、遮蔽体７３ａ及び遮蔽体７３ｂは、遮蔽体７３ａ及び遮蔽体７３ｂが用紙６９の搬送方向上流側から下流側に向かって延びだすような配置になったときに検知光路７５を遮るように取り付けられている。
【００６８】
図４(a)〜(d)は、図３(a)〜(d)に示した構成において、定着装置６から搬出される用紙６９が正常な状態である場合のジャム検知機構４３の動作を説明する図である。なお、図４(a)〜(d)には、動作説明に必要な部分にのみ図３(a)〜(d)と同一の番号を付与して示している。
【００６９】
搬出される用紙６９が正常な状態（紙詰まりしていない状態）であると、回動ピン７１ａ、７１ｂは、定着装置６の用紙搬送出口６６から搬出される用紙６９の先端に当接して押され、矢印ｃで示す用紙６９の搬送方向に、それぞれ保持部７２ａ、７２ｂを支点にして矢印ｄで示すように回動する。
【００７０】
回動ピン７１ａ及び７１ｂを固定して保持する前方棒状部材６８ａ及び後方棒状部材６８ｂには遮蔽体７３ａ及び７３ｂが固定して保持されている。したがって、遮蔽体７３ａ及び７３ｂは回動ピン７１ａ及び７１ｂの回動に連動して矢印ｄ方向に回動する。
【００７１】
これにより、遮蔽体７３ａ及び７３ｂによって遮られていた透過型光センサ７４の検知光路７５が開放され、透過型光センサ７４からオン信号が不図示の制御部に送信される。制御部は、用紙６９が所定の位置を通過してから所定の時間以内に透過型光センサ７４からこのオン信号を受け取ると、用紙６９が定着装置６から正常に搬出されたと判断する。
【００７２】
図５(a)〜(d)は、図３(a)〜(d)に示した構成において、定着装置から搬出される用紙６９の両端部のうちの装置後方側の端部（以下、幅方向後方部分という）がジャム状態である場合のジャム検知機構４３の動作を説明する図である。この場合も図５(a)〜(d)には、動作説明に必要な部分にのみ図３(a)〜(d)と同一の番号を付与して示している。
【００７３】
搬出される用紙６９の幅方向後方部分がジャム状態であるにもかかわらず用紙６９の両端部のうちの装置前方側の端部（以下、幅方向前方部分という）がジャム状態でない場合、回動ピン７１ａはこのジャムしていない幅方向前方部分に当接して押される。
【００７４】
押された回動ピン７１ａは、用紙６９の矢印ｃで示す搬送方向に保持部７２ａを支点にしてまたは前方棒状部材６８ａを軸として矢印ｄで示すように回動する。回動ピン７１ａに連動する遮蔽体７３ａも前方棒状部材６８ａを軸として矢印ｄ方向に回動して透過型光センサ７４の検知光路７５を開放する。
【００７５】
しかし、用紙６９の幅方向後方部分はジャムしているため回動ピン７１ｂに対して用紙６９の搬送方向上流側で留まっているので回動ピン７１ｂは用紙６９に当接することなく、したがって回動しない。回動ピン７１ｂに連動する遮蔽体７３ｂも回動することなく透過型光センサ７４の検知光路７５を遮断したままである。
【００７６】
これにより、画像形成部２から二次転写部２４を通過して定着装置６でトナー像を定着され、用紙搬送出口６６から用紙６９が正常に搬出されるまでの所定の時間となっても透過型光センサ７４からオン信号が出力されない。制御部は、所定の時間となっても透過型光センサ７４からオン信号が出力されないので用紙６９にジャムが発生したと判断する。
【００７７】
図６(a)〜(d)は、図３(a)〜(d)に示した構成において、定着装置から搬出される用紙６９の幅方向前方部分がジャム状態である場合のジャム検知機構４３の動作を説明する図である。この場合も図６(a)〜(d)には、動作説明に必要な部分にのみ図３(a)〜(d)と同一の番号を付与して示している。
【００７８】
搬出される用紙６９の幅方向前方部分がジャム状態であると、この幅方向前方部分は回動ピン７１ａに対して用紙６９の搬送方向上流側で留まるので回動ピン７１ａは用紙６９に当接することなく、したがって回動しない。回動ピン７１ａに連動する遮蔽体７３ａも回動することなく透過型光センサ７４の検知光路７５を遮断したままである。
【００７９】
したがって、たとえ用紙６９の幅方向後方部分がジャム状態でなく、回動ピン７１ｂが幅方向後方部分に当接して押され、用紙６９の矢印ｃで示す搬送方向に矢印ｄで示すように回動し、回動ピン７１ｂに連動して遮蔽体７３ｂも矢印ｄ方向に回動して透過型光センサ７４の検知光路７５を開放しても、他方で検知光路７５は遮蔽体７３ａにより遮断されたままであるので透過型光センサ７４からオン信号が出力されない。
【００８０】
この場合も、画像形成部２から二次転写部２４を通過して定着装置６でトナー像を定着され、用紙搬送出口６６から用紙６９が正常に搬出されるまでの所定の時間となっても透過型光センサ７４からオン信号が出力されないので、制御部は、用紙６９にジャムが発生したと判断する。
【００８１】
また、特には図示しないが、用紙６９に搬送不良が発生している場合、又は用紙６９の中央部分にジャムが発生している場合、いずれの場合も回動ピン７１ａ及び７１ｂの両方が用紙６９の先端に当接することなく回動しないので、遮蔽体７３ａ及び７３ｂも回動せず、したがって、透過型光センサ７４の検知光路７５は遮断されたままとなり、制御部は用紙６９にジャムが発生したと判断する。
【００８２】
このように、本実施例によれば、透過型光センサを１個のみ用い、通紙された用紙に対し、用紙搬送出口の近傍で用紙幅方向における両側のどちら側で発生した用紙ジャムでも迅速に検知することができる。また、搬送不良があっても迅速に検知することができる。
【００８３】
なお、上述では、回動ピンが用紙に押された場合にこれに連動して遮蔽体が検知光路を開放する構成とし検知光路の遮断状態から開放状態への変化に基づいてオン信号を送信する構成について説明したが、回動ピンが用紙に押された場合にこれに連動して遮蔽体が検知光路を遮断する構成とし検知光路の開放状態から遮断状態への変化に基づいてオン信号を送信する構成としてもよい。
【００８４】
本発明のいくつかの実施形態を説明したが、本発明は特許請求の範囲に記載された発明とその均等の範囲に含まれる。以下に、本願出願の当初の特許請求の範囲に記載された発明を付記する。
[付記１]
【００８５】
搬送されてくる用紙の先端に押されることにより用紙の搬送方向に回動する第１及び第２の回動ピンと、
前記第１の回動ピンの回動に連動して回動する第１の遮蔽体と、
前記第２の回動ピンの回動に連動して回動する第２の遮蔽体と、
前記第１の遮蔽体の回動と前記第２の遮蔽体の回動とに基づいて検知光路が遮断または開放される光センサと、
を有することを特徴とする紙詰まり検知装置。
[付記２]
【００８６】
用紙の搬送幅方向の一方の端部に対応する位置に配置され、搬送されてくる用紙の先端に押されることにより用紙の搬送方向に回動する第１の回動ピンと、
用紙の搬送幅方向の他方の端部に対応する位置に配置され、搬送されてくる用紙の先端に押されることにより用紙の搬送方向に回動する第２の回動ピンと、
前記第１の回動ピンの回動に連動して回動する第１の遮蔽体と、
前記第２の回動ピンの回動に連動して回動する第２の遮蔽体と、
前記第１の遮蔽体の回動と前記第２の遮蔽体の回動とに基づいて検知光路が遮断または開放される光センサと、
を有することを特徴とする紙詰まり検知装置。
[付記３]
【００８７】
前記光センサは、前記検知光路が用紙の搬送幅方向と平行となるように用紙の搬送幅方向の中央部に対応した位置に配置されていることを特徴とする付記１または２に記載の紙詰まり検知装置。
［付記４］
【００８８】
前記検知光路と平行となるように配置された第１及び第２の棒状部材を備え、
前記第１の棒状部材の一方の端部に前記第１の回動ピンが取り付けられているとともに他方の端部に前記第１の遮蔽体が取り付けられ、
前記第２の棒状部材の一方の端部に前記第２の回動ピンが取り付けられているとともに他方の端部に前記第２の遮蔽体が取り付けられていることを特徴とする付記１乃至３のいずれか一項に記載の紙詰まり検知装置。
［付記５］
【００８９】
用紙の搬送幅方向の一方の端部に対応する位置に配置され、搬送されてくる用紙の先端に押されることにより用紙の搬送方向に回動する第１の回動ピンと、
用紙の搬送幅方向の他方の端部に対応する位置に配置され、搬送されてくる用紙の先端に押されることにより用紙の搬送方向に回動する第２の回動ピンと、
前記第１の回動ピンの回動に連動して回動する第１の遮蔽体と、
前記第２の回動ピンの回動に連動して回動する第２の遮蔽体と、
前記第１の遮蔽体の回動と前記第２の遮蔽体の回動とに基づいて検知光路が遮断または開放される光センサと、
を有することを特徴とする画像形成装置。
【符号の説明】
【００９０】
１  フルカラー画像形成装置（プリンタ、装置本体）
２  画像形成部
３  転写ベルトユニット
４  トナー供給部
５  給紙部
６  ベルト式定着ユニット
７  両面印刷用搬送ユニット
８  転写ベルト
８ａ  下部走行部表面
９（９ｍ、９ｃ、９ｙ、９ｋ）  画像形成ユニット
１０  感光体ドラム
１１  クリーナ
１２  帯電ローラ
１３  光書込ヘッド
１４  現像器
１５  現像ローラ
１６  ユニット筐体
１７  隔壁
１８  第１の攪拌搬送スクリュー
１９  第２の攪拌搬送スクリュー
２０（２０ｙ、２０ｍ、２０ｃ、２０ｋ）  トナー補給容器
２１  駆動ローラ
２２  従動ローラ
２３  一次転写ローラ
２４  二次転写部
２５  転写補助ローラ
２６  二次転写ローラ
２７  ベルトクリーナ
２８  クリーニングブレード
２９  廃トナー回収容器
３０（３０ａ、３０ｂ）  給紙カセット
３１  用紙取出ローラ
３２  給送ローラ
３３  捌きローラ
３４  待機搬送ローラ対
３５  定着装置筐体
３６  熱源
３７  発熱ローラ
３８  定着ローラ
３９  熱伝導ベルト
４０  加圧ローラ
４１  分離爪
４２  出口案内爪
４３  ジャム検知機構（紙詰まり検知装置）
４４  検知機構筐体
４５  搬出ローラ対
４６  排紙トレー
４７  排紙ローラ対
４８  返送路
４８ａ  返送開始路
４８ｂ  返送中間路
４８ｃ  返送終端路
４９（４９ａ、４９ｂ、４９ｃ、４９ｄ、４９ｅ）  返送ローラ対
５１  前扉
５２  開閉部材
６３  取っ手
６４  人の手
６５  側面開口
６６  用紙搬送出口
６７（６７ａ、６７ｂ、６７ｃ）  軸受
６８（６８ａ、６８ｂ）  棒状部材
６９  用紙
７１ａ、７１ｂ  回動ピン
７２ａ、７２ｂ  保持部
７３ａ、７３ｂ  遮蔽体
７４  透過型光センサ
７５  検知光路
【図１】
2016160080.tif 000003
【図２】
2016160080.tif 000004
【図３】
2016160080.tif 000005
【図４】
2016160080.tif 000006
【図５】
2016160080.tif 000007
【図６】
2016160080.tif 000008